(57)【要約】      （修正有）【課題】医療用ハンドセットの又はノズルの構造と製造をより簡単にし、且つより便利にする。【解決手段】歯の予防的治療のために空気と粉末の混合物及び／又は流体のような医療用有効媒体を供給するための少なくとも一本のノズルライン１１，１２を有するノズル５を備える医療用ハンドセット１であって、ハンドセット１のノズル５への交換可能接続用のヘッドの接続部６を有するヘッド部４を有し、ハンドセット１と少なくとも一本の供給ライン９、１０は、ノズルのシール面のハンドルのシール面とのシールタイト締り嵌めを生成することによってノズル５の少なくとも一つのノズルライン１１、１２へ接続され、特に、舌部と溝との接続がノズル５と接続部６との間に生成され、ノズルのＴ形溝がハンドルのＴ形舌部へ挿入され、挿入軸ｌがハンドセット１の長手軸Ｌに対して略直角になっている。【選択図】図１
2008149138.tif 000002
【特許請求の範囲】
【請求項１】
医療用ハンドセット（１）であって、
当該医療用ハンドセットは、医療用有効媒体を供給するための少なくとも一本のノズルライン（１１，１２）を有するノズル（５）と、
ハンドセット（１）のノズル（５）への交換可能な接続のためのヘッドの接続部（６）を有すると共に少なくとも一本の供給ライン（９、１０）を有するヘッド部（４）を有し、
前記少なくとも一本のノズルラン（９，１０）は、ノズルのシーリング面（１６）とハンドルのシーリング面（１９）のシーリングタイト締まり嵌めによって前記少なくとも一本のノズルライン（１１、１２）へ接続可能であることを特徴とする医療用ハンドセット。
【請求項２】
ハンドルのシーリング面（１９）は、ハンドルのヘッド部（６）のＴ形舌部の端に配置され、ノズルのＴ形溝（２１）がその舌部に挿入可能であり、その舌部は、ノズルのシーリング面（１６）を支持することを特徴とする請求項１に記載の医療用ハンドセット。
【請求項３】
ノズルのシーリング面（１６）は、少なくとも一つのラインシール（１４ａ、１４ｂ）を有し、その少なくとも一つのラインシール（１４ａ、１４ｂ）は、少なくとも一つのライン孔（１３ａ、１３ｂ）をシールし、この少なくとも一つのライン孔（１３ａ、１３ｂ）に前記少なくとも一本のノズルラン（１１、１２）が開口することを特徴とする請求項１又は２に記載の医療用ハンドセット。
【請求項４】
ノズルのＴ形溝（２１）は、右手スライド溝（７ａ）と左手スライド溝（７ｂ）を形成し、ハンドルのＴ形舌部（１８）の右手スプリングクリップ（１７ａ）と左手スプリングクリップ（１７ｂ）が、これらの右手スライド溝（７ａ）と左手スライド溝（７ｂ）に係合し、それによって、シーリングタイト締まり嵌めが、ノズルのシーリング面（１６）とハンドルのシーリング面（１９）との間に実行されることを特徴とする先行する請求項のいずれかに記載の医療用ハンドセット。
【請求項５】
ノズルのシーリング面（１６）は、平面視で台形に形成されて、ノズルのシーリング面（１６）の横方向長手エッジは、ノズル（５）がヘッド上の接続部（６）へ挿入されると、締まり嵌めが実行されるように、ハンドルのＴ形舌部（１８）の横方向長手エッジと協働することを特徴とする請求項４に記載の医療用ハンドセット。
【請求項６】
下部スライド溝の幅（ｄ1）は、ノズルのＴ形溝（２１）の上部スライド溝の幅（ｄ2）よりも大きく、それによって、ノズルのシーリング面（１６）の下部の厚みは、ノズルのシーリング面（１６）の上部の厚みよりも小さく、ノズルのシーリング面（１６）の下部の厚みは、ハンドルのＴ形舌部（１８）のＴ形舌部の幅（ａ）よりも小さいが、ノズルのシーリング面（１６）の上部の厚みは、Ｔ形舌部の幅（ａ）よりも大きいことを特徴とする先行する請求項１〜５のいずれかに記載の医療用ハンドセット。
【請求項７】
ノズル（５）は、粉末と空気の混合物を供給するための第１のノズルライン（１１）と流体を供給するための第２のノズルライン（１２）とを有し、ヘッド部（４）は、空気と粉末の混合物と流体を供給するための第１の供給ライン（９）と第２の供給ライン（１０）を有し、ノズルのシーリング面（１６）は、第１のノズルライン（１１）のための第１のライン孔（１３ａ）と第２のノズルライン（１２）のための第２のライン孔（１３ｂ）を有し、これらは、第１のラインシール（１４ａ）と第２のラインシール（１４ｂ）によって夫々囲まれ、ノズル（５）がハンドルのＴ形舌部（１８）に挿入されると、第１のラインシール（１４ａ）と第２のラインシール（１４ｂ）は、第１と第２の供給ライン（９、１０）の孔に対して、シーリングタイト締まり嵌めを生成することを特徴とする先行する請求項１〜６のいずれかに記載の医療用ハンドセット。
【請求項８】
ノズル（５）は、ノズルのシーリング面（１６）を有し、このシーリング面（１６）は、少なくとも一本のノズルライン（１１，１２）の少なくとも一つのライン孔（１３ａ、１３ｂ）がシーリングタイト方法でハンドセット（１）の少なくとも一本の供給ライン（９、１０）へ接続可能なように、シーリングタイト方法でハンドルのシーリング面（１９）へシーリングタイト法で接続可能であることを特徴とする先行する請求項１〜７のいずれかに記載の医療用ハンドセットのノズル。
【請求項９】
第１のノズルライン（１１）は、第２のノズルライン（１２）を有するノズル先端（８）で開口し、それによって、二つの医療的有効媒体がノズル先端（８）で同時に放出されることを特徴とする請求項８に記載のノズル（５）。
【請求項１０】
ノズルは、弾性変形可能なプラスチック材料、特に、エラストマーよりなることを特徴とする請求項８又は９に記載のノズル（５）。
【請求項１１】
前記ノズルは、ひとつなぎとなっていることを特徴とする請求項８又は９に記載のノズル（５）。
【請求項１２】
ラインシール（１４ａ、１４ｂ）は、ノズル（５）と同じ材料よりなることを特徴とする請求項８乃至１１のいずれか一項に記載のノズル（５）。
【請求項１３】
前記ノズル（５）は、射出形成法によって製造されることができ且つ使い捨て物品として形成されることを特徴とする請求項８乃至１２のいずれか一項に記載のノズル（５）。
【発明の詳細な説明】
【技術分野】
【０００１】
本発明は、請求項１の前文に係る医療用ハンドセット及び請求項８の前文に係るその医療用ハンドセットに適する交換可能ノズルに関する。特に、本発明は、例えば、空気と粉末の混合物及び／又は流体のような医療用有効媒体を供給するのに適する、交換可能ノズルを有する歯科目的の医療用ハンドセットに関する。
【背景技術】
【０００２】
このタイプ、例えば、歯科用吹き付けツール用の、ハンドセットが、ＥＰ１３４６７００Ａ１又はＤＥ１０３３１５８３により公知となっている。これらのハンドセットは、通常、ハンドルに２本又は３本の供給ラインを有し、これらのラインは、２本のノズルラインに接続され、これらは、ノズル先端で開口し、そこで医療用有効媒体や混合物を放出する。
【０００３】
ＤＥ１０１１４３２４Ａ１から、空気と粉末の混合物用の第１のノズルラインの出口が流体の放出用の第２のノズルラインの同軸配置された外側出口によって囲まれたノズル片が知られている。二つの出口は、接続穴を介して別々に形成され且つハンドセットのヘッド端に固定されたハンドル部の二つの分離した接続ラインへ接続される。この形態のノズル片では、例えば、歯肉縁上粉末吹き付けクリーニングは、実行される歯のクリーニングの場合に、穏やかな処置を可能とするために処置されるべき歯の表面への流体の同時スプレーによって支援されることができる。
【０００４】
ＵＳ２００６／０１０５２９２Ａ１は、医療用有効媒体を実行するスプレーの交換可能ノズル部品を開示している。このノズルは、ねじ接続によってスプレーのヘッド部品へ固定可能であり、各処置後に、ノズルは衛生上の理由で交換可能である。
【０００５】
ＥＰ１２４３２２７Ａ２は、請求項１の前文に係る医療用ハンドセットを開示しており、このハンドセットは、粉末と空気の混合物と水を供給するための２本のノズルラインを有するノズルを備えており、このノズルは、医療用ハンドセットのハンドルスリーブ上に交換可能に取り付けられる。ノズルのハンドルスリーブへの交換可能な取り付けのために、舌部と溝との接続部が使用され、この接続部は、ハンドルスリーブとノズルとの間に配置された２本の接続ラインがハンドルスリーブとノズルの２本の接続ラインの中の両方で開口するように形成され且つ段つき穴として形成され、段つき穴の夫々の基端の大きい方の直径は、接続ラインの挿入のために接続ラインに適合され、且つノズルの前端に出口チューブが、適切な放出断面を得るために取り付けられる。
【０００６】
公知の交換可能なノズルの実質的に不利な点は、これらのノズルは、次の処置のために使用される前に、念入りに滅菌されなければならないことである。更に、例えば、ハンドルスリーブとノズルとの間にありしばしば詰まるか清掃しづらい追加の接続ラインが設けられる場合、ハンドルの供給ラインとノズルラインとの間の接続部の構造とタイプは精巧となり、従って、これらは頻繁に交換されなければならない。
【０００７】
公知の医療用ハンドセットの更なる不利な点は、ハンドルスリーブとノズルの両方の構造は、非常に複雑であるので、医療用ハンドセット又は交換可能なノズルの製造コストが非常に高く、処置をする外科医は、複数回使用のノズルスリーブとノズルの両方を滅菌しなければならないことである。更に、歯肉縁下の用途では、ノズルの直径は、損傷を避けるために非常に小さくなければならない。このことは、ノズル内に長く細いチャネルがあることを意味し、この結果、満足のいく洗浄と滅菌が頻繁にできないこととなる。
【発明の開示】
【発明が解決しようとする課題】
【０００８】
本発明の目的は、公知のタイプの医療用ハンドセットを改良し、複雑な滅菌を促進するか或いはなくし、医療用ハンドセットの又はノズルの構造と製造がより簡単且つより便利になり、患者の処置と処置の間の中断時間が短縮されてより多くの患者が医療用ハンドセットでより迅速に処置されることである。
【課題を解決するための手段】
【０００９】
本発明は、請求項１及び８の特徴的な機能によってこれらの目的を達成する。本発明の好適な実施形態が、従属の請求項に特徴付けられて記載される。
【００１０】
本発明の医療用ハンドセットは、少なくとも一本のノズルラインを備えるノズルを有し、医療用有効媒体を供給するために使用される。ハンドセット又はハンドセットの前部には、そのハンドセットをノズルに交換可能に接続するためのヘッド側に接続部を有するヘッド部があり、ハンドセットは、少なくとも一本の供給ラインを有し、このラインによって医療用有効媒体が供給される。この少なくとも一本の供給ラインは、ノズルのシーリング面とハンドルのシーリング面のシーリング締まり嵌めによって少なくとも一本のノズルラインに接続される。
【００１１】
本発明の利点は、ノズルのノズルラインをハンドル部の供給ラインへ接続するために接続ラインや他の接続部品を必要としないことである。このような構成の実質的な利点は、ノズルが非常に小さく且つ経済的に製造されることができ、それによって、そのノズルを使い捨て製品として使用し、最早滅菌する必要がないことである。これを特に小さく且つ経済的に作るために、シーリングタイト締り嵌めは、可能な限りもっとも単純な手段によって達成されなければならない。更に、本発明は、ノズル自体が各使用後に捨てられ且つ各使用後に新たなノズルが使用されるので、ノズル内の比較的小さく細いチャネルが最早清掃、或いは滅菌される必要がないという利点がある。
【００１２】
本発明の好適な実施形態に従って、ハンドルのシーリング面は、ヘッド部のハンドルのＴ形舌部の端に配置され、ノズルのＴ形溝がそこに挿入可能であり、ノズルのシーリング面を支持する。Ｔ形溝をＴ形舌部へ挿入するための挿入軸がハンドセットの長手軸に対して略垂直であることが有利であり、有利には、４５°から１３５°の挿入角度、特に好適には、８０°から１００°が考えられる。ノズルのシーリング面は、少なくとも一つのラインシールを有することが有利であり、このシールは、少なくとも一つのライン穴をシールし、その穴には、少なくとも一本のノズルラインが開口する。このラインシールは、ノズルラインのライン孔の周りに円形に配置されることができ、ノズル自体と同じ材料で作られる。他の実施形態に従って、ハンドルのシーリング面は、供給ラインのライン孔上にラインシールを有し、これらのラインシールは、供給ラインとノズルラインの対向するライン孔が外部に関してシールされるように、ノズルのシーリング面とハンドルのシーリング面のシーリングタイト締り嵌めを可能とする。
【００１３】
ノズルのＴ形溝は、右手スライド溝と左手スライド溝を有することが有利であり、これらの溝に、ハンドルエッジのＴ形舌部の右手スプリングクリップと左手スプリングクリップが係合し、それによって、シーリングタイト締り嵌めが、ノズルのシーリング面とハンドルのシーリング面との間で実行される。ノズルのシーリング面とハンドルのシーリング面とのシーリングタイト締まり嵌めは、対向するラインが、シーリングタイト方法で一緒に結合されると、達成される。この締まり嵌めを達成するために、基本的に、二つの好適な実施形態が提案される。
【００１４】
１．ノズルのシーリング面は、平面視で台形に形成され、それによって、ノズルのシーリング面の横方向長手側がハンドルのＴ形舌部の横方向長手エッジと協働して、ノズルがヘッドの接続部に挿入されると締まり嵌めが実行される。これは、例えば、ノズルの台形シーリング面の下部横方向エッジがハンドルのＴ形舌部の上部孔よりも小さく且つノズルの台形シーリング面の上部横方向エッジがハンドルのＴ形舌部の上部孔よりも大きい場合に達成され、それによって、ヘッドの接続部へノズルが挿入されると、横方向の、円錐形に尖った長手エッジがハンドルのＴ形舌部でヘッドの接続部に突き当たり、そこに押し込まれる。同時に、台形構成によって、ノズルのヘッドの接続部への挿入がより容易になる。
【００１５】
２．下部スライド溝の幅は、ノズルのＴ形溝の上部スライド溝幅よりも大きいので、ノズルのシーリング面の下部の厚みが、ノズルのシーリング面の上部の厚みよりも小さくなり、ノズルのシーリング面の下部の厚みは、ハンドルのＴ形舌部のＴ形舌部の幅よりも小さいが、ノズルのシーリング面の上部の厚みは、Ｔ形舌部の幅よりも大きいので、ここでも、ノズルがヘッドの接続部へ挿入されると、スライディング溝の円錐形切欠きが、ノズルのシーリング面の横方向長手エッジのＴ形舌部内への楔のような突き当りを行い、従って、割り込みを行う。
【００１６】
本発明の更に好適な実施形態に従って、ノズルは、接続部への差込、回転又はねじ固定によって取り付けられることができ、それによって、ノズルのシーリング面とハンドルのシーリング面のシーリングタイト締まり嵌めが、達成され、ラインシールの場合、これらのシーリング面は、ラインシール自体の表面で表される。ここでまた、シーリング面の平面は、ハンドセットの長手軸に対して実質的に垂直である。
【００１７】
更に、本発明は、医療用ハンドセットのノズルに関し、そこでノズルは、ノズルのシーリング面を有し、このシーリング面は、少なくとも一本のノズルラインの少なくとも一つのライン穴がハンドセットの少なくとも一本の供給ラインに接続可能であるようにハンドルのシーリング面に接続されることができる。第１のノズルラインは、本発明に従って、ノズル先端の第２のノズルラインと共に開口し、それによって、２種類の医療用有効媒体が、任意ではあるが、別々に、ノズル先端で放出される。
【００１８】
ノズルが、弾性変形可能なプラスチック材料、特に、エラストマーからなることが有利であり、ノズルがヘッドの接続部へ挿入されると、適切にプラスチック材料が変形されることができ、従って、シーリングタイト締り嵌めを達成する。この場合、ラインシールが、任意ではあるが、ノズルと一体的に、ノズルと同じ材料で形成されることが有利であり、その場合、ノズルは、例えば、射出形成方法で使い捨て物品として形成されることができる。
【００１９】
本発明の特に好適な実施形態が、添付の図面を参照してより十分に説明される。
【発明を実施するための最良の形態】
【００２０】
図１は、医療用ハンドセット１の前部の概略断面図であり、このハンドセットは、その前部にヘッド部４を有し、このヘッド部４は、ハンドセット１をノズル５に接続するためのヘッドの接続部６を支持する。更に、ハンドセット１の長手軸Ｌが、概略的に示されており、この軸は、接続又は挿入軸１に略垂直であり、この挿入軸は、ノズルのシーリング面とハンドルのシーリング面がある平面に平行な面にある（図３及び図４を参照）。
【００２１】
ハンドセット１は、例えば、空気と粉末の混合物を供給するため第１の供給ライン９と、例えば、水を供給するための第２の供給ライン１０を有する。処置を受ける患者と一般的に直接接触するノズル５は、交換可能に取り付けられるべきであり、そのために、ハンドセットは、ノズルにＴ形溝２１を有し、このＴ形溝は、ハンドルのＴ形舌部１８に挿入可能である（図３及び４を参照）。図１において、右手スライド溝７ａは、ヘッドの接続部６よりも下に突出しているように見える。ノズル５は、ノズル先端８を有し、そこへ第１のノズルライン１１と第２のノズルライン１２が至り、第１のノズルライン１１は、シーリングタイト法で第１の供給ライン９へ接続され、第２のノズルライン１２は、シーリングタイト法で第２の供給ライン１０へ接続される。
【００２２】
図２は、ハンドセット１の前ヘッド部４、ノズル５及び接続片３を有する医療用ハンドセット１を概略的に示し、ハンドセット１へはホース２が接続されうる。空気と粉末の混合物と水は、ホース２を介して供給され、ハンドセット１内又はその上に粉末用容器ある場合、圧縮空気と水のみがホース２を介して供給される。
【００２３】
図３は、ノズル５の後部横方向図を概略的に示しており、第１のノズルライン１１と第２のノズルライン１２がノズル５内に概略的に示されている。ノズルライン１１と１２の両方が、ノズル先端８で開口する。
【００２４】
第１のノズルライン１１は、第１のライン孔１３ａを介して送られ、他方、第２のノズルライン１２は、第２のライン孔１３ｂを介して送られる。ライン孔１３ａと１３ｂの回りに、ラインシール１４ａと１４ｂが示されている。これらのラインシール１４ａと１４ｂは、シールの両方が外側に向かい且つライン穴１３ａと１３ｂの間のシールが確保される限り、任意の形状を有することができる。例えば、ラインシール１４ａと１４ｂは、シーリング面１６のエッジに配置されることができ、その場合、横方向シーリング溝は、二つのライン孔１３ａと１３ｂとの間に設けられなければならない。ラインシール１４ａと１４ｂは、ノズル５のコストを可能な限り低く保つために、ノズル５と同じ材料で一体的に製造されることが好ましい。
【００２５】
ノズル５は、ノズル側のＴ形溝２１を有し、Ｔ形溝２１は、右手スライド溝７ａと左手スライド溝７ｂがシーリング面１６から離間されたノズル５の表面に横方向へ切り欠かれるように形成される。スライド溝７ａと７ｂは、ノズル５の全表面に亘って完全には延出せずノズル５の上部延出部の僅かに下で終端し、それによって溝肩部１５が形成されるのが有利である。この溝肩部１５は、ノズル５がヘッドの接続部６内に挿入される時に滑り落ちることを防止する（図４を参照）。
【００２６】
図４は、ヘッドの接続部６の横方向図を概略的に示す。接続部６、ヘッド４及びヘッドセット１は、一体的に形成されることができる。接続部６は、特に、ハンドルにＴ形舌部１８を有し、このＴ形舌部１８は、ハンドセット１の長手軸Ｌに対して略直角に接続部６の前部にＴ形ルーチング（ｒｏｕｔｉｎｇ）によって形成される。このＴ形ルーチングによって、右手スプリングクリップ１７ａと左手スプリングクリップ１７ｂが形成され、これらのクリップは、ノズルのＴ形溝２１の対応するスライド溝７ａと７ｂに係合する。ノズル５がヘッドの接続部６に挿入された時に、シーリングタイト締まり嵌めがノズルのシーリング面１６とハンドルのシーリング面１９との間、又はラインシール１４ａ及び１４ｂと対向するシーリング面との間に形成され、二つのオプションが本発明に従って提案される。
【００２７】
一方、ノズルのシーリング面１６は、平面視で台形に形成され（図３を参照）、それによって、ノズルのシーリング面１６の横方向長手エッジは、ノズル５がヘッドの接続部６に挿入された時に、締まり嵌めが実行されるように、ハンドルのＴ形舌部１８の横方向長手エッジと協働する。このため、台形シーリング面１６の下部横方向側部は、接続部６のＴ形ルーチングの上部幅よりも小さいが、台形シーリング面１６の上部横方向側部は、接続部６のＴ形ルーチングの上部幅よりも溝肩部１５の領域において大きく、それによって、ノズル５の挿入時に、楔効果が達成される。
【００２８】
他方、図５のノズル５の後部の概略図に従って、上部スライド溝幅ｄ2よりも大きな右手と左手のスライド溝７ａと７ｂの下部スライド溝幅ｄ1を形成することができ、ノズルのシーリング面１６の下部厚みは、ノズルのシーリング面１６の上部厚みよりも小さく、ノズルのシーリング面１６の下部厚みは、ハンドルのＴ形舌部１８のＴ形舌部幅ａよりも小さい（図４参照）が、ノズルのシーリング面１６の上部厚みは、Ｔ形舌部幅ａよりも大きく（図４参照）、それによって、ノズル５が挿入されると、楔効果が達成される。
【００２９】
図５に従って、ノズルのシーリング面１６とスライド溝７ａと７ｂの両方を台形に形成することが可能であり、それによって、ハンドルのＴ形舌部１８への挿入時に２倍の楔効果が達成されることは明白である。このため、ハンドルのＴ形舌部１８が、適合され、従って、即ち、特に、立方形である。従って、接続部６のＴ形ルーチングを台形に形成することが可能であり、従って、Ｔ形舌部１８における直角シーリング面１６がこの位置で台形ルーチングに押し込まれてその位置に確実に楔止めされる。
【００３０】
本発明の好適な実施形態に従って、二つのコンポーネントの楔止めは、一方で、ノズルのシーリング面１６をハンドルのシーリング面１９に押圧し、他方で、右手及び左手スライド溝７ａと７ｂの面に右手及び左手スプリングクリップ１７ａと１７ｂに圧力を加えさせ、従って、スライド溝７ａと７ｂに隣接するノズルのＴ形溝の横方向面にスプリングクリップ１７ａと１７ｂに隣接するハンドルのＴ形舌部１８の面に圧力を加えさせる。これを達成するために、これらの対応する面（２１／７ａと７ｂ及び１８／１７ａと１７ｂ）は、ノズルとハンドルの夫々のシーリング面１６と１９に関して、略４°の角度で配置され、それによって、挿入の深さが増加すると、二つのシーリング面１６と１９は、より一層離れるように押される。
【００３１】
ノズル５のこの構成によって、このノズルは、使い捨て製品として製造され、それによって、複雑な滅菌は最早必要ない。この場合、交換は、ノズル５のヘッドの接続部６への単純な挿入によってアシスタント手段を必要とすることなく実行される。ノズルのＴ形溝の及び／又はハンドルのＴ形舌部の円錐形又は台形構成によって、信頼できる締まり嵌めが、供給ライン９と１０とノズルライン１１と１２との間の接続点の信頼できるシールを達成するために達成されることができる。
【図面の簡単な説明】
【００３２】
【図１】本発明に係るノズルを有するハンドセットの概略断面図である。
【図２】ホースとノズルを有するハンドセットの概略側面図である。
【図３】本発明に係るノズルの概略横断面図である。
【図４】本発明に係るハンドセットのヘッド部を有するヘッドの接続部の概略横断面図である。
【図５】本発明に係るノズルのハンドル側部分の部分横断面図である。
【図１】
2008149138.tif 000003
【図２】
2008149138.tif 000004
【図３】
2008149138.tif 000005
【図４】
2008149138.tif 000006
【図５】
2008149138.tif 000007
【手続補正書】
【提出日】平成20年1月17日(2008.1.17)
【手続補正１】
【補正対象書類名】図面
【補正対象項目名】全図
【補正方法】変更
【補正の内容】
【図１】
2008149138.tif 000008
【図２】
2008149138.tif 000009
【図３】
2008149138.tif 000010
【図４】
2008149138.tif 000011
【図５】
2008149138.tif 000012